(57)【特許請求の範囲】
【請求項１】
証券の金額欄に表記されている金額情報を読み取り、該読み取った金額情報に基づいて前記証券の所定の印字領域に磁気インク文字による金額情報を印字する証券処理方法において、
前記証券の金額欄に表記されている金額情報と前記所定の印字領域の印字情報とを読み取り、
該読み取りの結果、前記金額欄に表記されている金額情報が識別でき、かつ、前記印字領域に前記磁気インク文字が印字されていない場合は、該印字領域に前記金額情報に対応する情報を磁気インク文字で印字することを特徴とする証券処理方法。
【請求項２】
前記証券を磁気インク文字による印字を行った証券と行わなかった証券とに振り分けることを特徴とする請求項１記載の証券処理方法。
【請求項３】
前記振り分けは、
前記磁気インク文字による印字を行わなかった証券を前記金額欄の金額情報を識別することができなかった証券と、前記証券の金額欄に金額情報の表記がない為に前記金額情報を読み取ることができなかった証券とに、さらに振り分けることを特徴とする請求項２記載の証券処理方法。
【請求項４】
証券の金額欄に表記されている金額情報を読み取り、該読み取った金額情報に基づいて前記証券の所定の印字領域に磁気インク文字による金額情報を印字する証券処理装置において、
前記証券の金額欄に表記されている金額情報と前記所定の印字領域の印字情報とを読み取る情報読取手段と、
前記情報読取手段により読み取られた情報から、前記金額欄に表記されている金額情報と前記所定の印字領域の磁気インク文字の有無とを識別する情報識別手段と、
前記情報識別手段により金額情報が識別され、かつ、前記所定の印字領域に磁気インク文字が印字されていない証券に、該識別された金額情報を磁気インク文字で印字する金額印字手段と
を具備することを特徴とする証券処理装置。
【請求項５】
前記情報読取手段は、
１つのイメージセンサで構成されることを特徴とする請求項４記載の証券処理装置。
【請求項６】
前記情報読取手段は、
前記金額欄を読み取る第１のイメージセンサと、前記所定の印字領域を読み取る第２のイメージセンサとで構成されることを特徴とする請求項４記載の証券処理装置。
【請求項７】
前記証券を前記金額印字手段により印字を行った証券と行わなかった証券とに振り分ける証券振分手段をさらに具備することを特徴とする請求項４記載の証券処理装置。
【請求項８】
前記証券振分手段は、
前記金額印字手段により印字を行わなかった証券を、前記情報識別手段により金額欄の金額情報を識別することができなかった証券と、前記証券の金額欄に金額情報の表記がない為に、前記情報読取手段により金額欄の金額情報を読み取ることができなかった証券とに振り分けることを特徴とする請求項７記載の証券処理装置。
【発明の詳細な説明】
【０００１】
【発明の属する技術分野】
この発明は、小切手や手形等の証券の金額欄に印字されている金額を読み取り、証券にこの金額をＭＩＣＲ文字で印字するＭＩＣＲエンコード処理を行う証券処理方法及び装置に関し、特に金額をＭＩＣＲエンコード処理する際に、金額のＭＩＣＲエンコードの有無を識別し、二重処理を防止することのできる証券処理方法及び装置に関する。
【０００２】
【従来の技術】
一般に、金融機関で振り出された小切手や手形等の証券は、手形交換を行う為に金融機関に持ち込まれ、更にその金融機関の各店舗からセンターに一括して取りまとめられる。
【０００３】
これらの証券には、金融機関の各店舗において、あらかじめ券面の指定個所にこの証券の金額欄に表記されている金額をＭＩＣＲ（Ｍａｇｎｅｔｉｃ  ＩｎｋＣｈａｒａｃｔｅｒ  Ｒｅｃｏｇｎｉｔｉｏｎ；磁気インク文字識別）文字によって印字するＭＩＣＲエンコード処理を行っており、センターでは、これらの証券にＭＩＣＲエンコードされている金額を読み取ることで手形交換に関わる処理を行っている。
【０００４】
しかしながら、このような証券にＭＩＣＲエンコード処理を行う証券処理装置は、金融機関の全ての店舗に導入されているわけではない為に、センターに取りまとめられた証券の中には、金額がＭＩＣＲエンコードされていないものがあり、これらの証券についてはセンターの証券処理装置により金額をＭＩＣＲエンコードしていた。
【０００５】
【発明が解決しようとする課題】
ところが、センターに取りまとめられたこれらの多数の証券を、金額がＭＩＣＲエンコードされている証券とＭＩＣＲエンコードされていない証券とに振り分ける際に、手作業で振り分けなければならない為に、作業する者に大きな負担がかかるという問題があった。
【０００６】
更に、これらの証券を振り分ける際に、金額がＭＩＣＲエンコードされている証券とＭＩＣＲエンコードされていない証券とを誤って振り分けると、既にＭＩＣＲエンコードされている証券に対して金額を二重にＭＩＣＲエンコードしてしまう為に、証券処理の効率を妨げるという問題があった。
【０００７】
そこで、この発明は大きな負担をかけることなく、かつ証券処理の効率を妨げることのないように、証券に金額をＭＩＣＲエンコードする処理を行う際に、ＭＩＣＲエンコードの有無を識別して、二重処理を防止することのできる証券処理方法及び装置を提供することを目的とする。
【０００８】
【課題を解決するための手段】
上述した目的を達成する為に、請求項１の発明は、証券の金額欄に表記されている金額情報を読み取り、該読み取った金額情報に基づいて前記証券の所定の印字領域に磁気インク文字による金額情報を印字する証券処理方法において、前記証券の金額欄に表記されている金額情報と前記所定の印字領域の印字情報とを読み取り、該読み取りの結果、前記金額欄に表記されている金額情報が識別でき、かつ、前記印字領域に前記磁気インク文字が印字されていない場合は、該印字領域に前記金額情報に対応する情報を磁気インク文字で印字することを特徴とする。
【０００９】
又、請求項２の発明は、請求項１において、前記証券を磁気インク文字による印字を行った証券と行わなかった証券とに振り分けることを特徴とする。
【００１０】
又、請求項３の発明は、請求項２において、前記振り分けは、前記磁気インク文字による印字を行わなかった証券を前記金額欄の金額情報を識別することができなかった証券と、前記証券の金額欄に金額情報の表記がない為に前記金額情報を読み取ることができなかった証券とに、さらに振り分けることを特徴とする。
【００１１】
又、請求項４の発明は、証券の金額欄に表記されている金額情報を読み取り、該読み取った金額情報に基づいて前記証券の所定の印字領域に磁気インク文字による金額情報を印字する証券処理装置において、前記証券の金額欄に表記されている金額情報と前記所定の印字領域の印字情報とを読み取る情報読取手段と、前記情報読取手段により読み取られた情報から、前記金額欄に表記されている金額情報と前記所定の印字領域の磁気インク文字の有無とを識別する情報識別手段と、前記情報識別手段により金額情報が識別され、かつ、前記所定の印字領域に磁気インク文字が印字されていない証券に、該識別された金額情報を磁気インク文字で印字する金額印字手段とを具備することを特徴とする。
【００１２】
又、請求項５の発明は、請求項４において、前記情報読取手段は、１つのイメージセンサで構成されることを特徴とする。
【００１３】
又、請求項６の発明は、請求項４において、前記情報読取手段は、前記金額欄を読み取る第１のイメージセンサと、前記所定の印字領域を読み取る第２のイメージセンサとで構成されることを特徴とする。
【００１４】
又、請求項７の発明は、請求項４において、前記証券を前記金額印字手段により印字を行った証券と行わなかった証券とに振り分ける証券振分手段をさらに具備することを特徴とする。
【００１５】
又、請求項８の発明は、請求項７において、前記証券振分手段は、前記金額印字手段により印字を行わなかった証券を、前記情報識別手段により金額欄の金額情報を識別することができなかった証券と、前記証券の金額欄に金額情報の表記がない為に、前記情報読取手段により金額欄の金額情報を読み取ることができなかった証券とに振り分けることを特徴とする。
【００１６】
【発明の実施の形態】
この発明に関する証券処理方法及び装置の一実施例を、添付図面を参照して詳細に説明する。
【００１７】
まず、図１及び図２を参照して、この発明を適用した証券処理装置の構成について説明する。
【００１８】
図１は証券処理装置の構成を示すブロック図であり、図２は証券処理装置の外観を示す外観図である。
【００１９】
図１及び図２において、証券処理装置１はＭＩＣＲエンコード処理が行われる複数の証券を載置する証券載置部２、載置された証券を１つずつ繰り出す証券繰出部３、繰り出された証券を搬送する証券搬送部４、証券の金額欄やＭＩＣＲエンコード領域に表記されている金額の文字を読み取る文字読取センサ部５、読み取られた文字を識別する文字識別部６、読み取られた金額をＭＩＣＲエンコードするＭＩＣＲエンコーダ部７、証券の処理状態に応じて搬送されている証券を振り分ける証券振分部８（８−１乃至８−３）、処理が済んだ証券を受け入れる受入証券集積部９、処理されなかった証券を返却する返却証券集積部１０（１０−１及び１０−２）、証券の処理の開始や終了などを操作する操作部１１、処理された証券の金額などを出力するジャーナルプリンタ部１２及び装置の各部を制御する制御部１３を具備して構成される。
【００２０】
なお、ＭＩＣＲエンコーダ部７は、インクリボンがセットされており、インパクト方式により証券にＭＩＣＲエンコードを行う。
【００２１】
又、証券振分部８は、受入証券集積部９や返却証券集積部１０の前にそれぞれ設けられ、証券搬送部４により搬送されてきた証券を受入証券集積部９や返却証券集積部１０に振り分ける。なお、返却証券集積部１０は、図示したように２つの返却証券集積部１０−１及び１０−２が設けられ、証券を処理することができなかった状態に応じて、それぞれの返却証券集積部１０に集積させる。
【００２２】
操作部１１は、証券の処理を開始又は終了させる「スタート／ストップ」キー、ＭＩＣＲエンコード処理の実行の有無を切り換える「ＭＩＣＲエンコード  非印字／印字」キー及びＭＩＣＲエンコードする金額を手動で入力する「テンキー（数字キー）」などがあり、これらのキーを押下することで各操作を行う。
【００２３】
ジャーナルプリンタ部１２は、処理された証券の金額を集計した集計金額データ等を出力する。
【００２４】
次に、図３を参照して、証券を処理する際の証券の一連の流れを説明する。
【００２５】
図３は証券を処理する際の証券の一連の流れを示す模式図である。
【００２６】
まず、証券載置部２に複数の証券が載置されて、これらの証券は証券繰出部３により１枚ずつ証券搬送部４に繰り出される。この繰り出された証券は、証券搬送部４により搬送されながら各処理がされていく。なお、図中の矢印は、証券が搬送される方向を示している。
【００２７】
最初に、証券が文字読取センサ部５を通過する際に、証券の金額欄に表記されている金額の文字と、ＭＩＣＲエンコード領域にＭＩＣＲエンコードされている金額をそれぞれ読み取る。
【００２８】
更に、証券は証券搬送部４により搬送されながら、ＭＩＣＲエンコーダ部７を通過する際に、ＭＩＣＲエンコード処理が行われる証券については、ここで証券にＭＩＣＲエンコード処理が行われる。
【００２９】
そして、ＭＩＣＲエンコード処理が行われた証券については、受入証券集積部９の前に設けられた証券振分部８−１が、証券搬送部４に搬送されているこの証券を受入証券集積部９に振り分け、この受入証券集積部９に証券を集積させる。
【００３０】
又、ＭＩＣＲエンコード処理が行われなかった証券については、返却証券集積部１０−１、１０−２の前に設けられた証券振分部８−２又は８−３が、証券搬送部４に搬送されているこの証券を返却証券集積部１０−１又は１０−２に振り分け、この返却証券集積部１０−１又は１０−２に証券を集積させる。
【００３１】
なお、返却証券振分部１０−１には、証券の金額欄に表記されている金額の文字を認識することができなかった証券、又、返却証券振分部１０−２には、既に証券のＭＩＣＲエンコード領域に金額がＭＩＣＲエンコードされている証券がそれぞれ集積される。
【００３２】
ここで、図４を参照して、証券に表記されている金額の読取方法を説明する。
【００３３】
図４は証券の外観を示す外観図及び証券に表記されている金額の読取方法を示す模式図である。
【００３４】
同図（Ａ）に示すように、小切手や手形などの証券３１には、券面の上部にある振り出した金額が表記されている金額欄３２と、券面の右下にあり、この金額欄３２に表記されている金額をＭＩＣＲエンコードするＭＩＣＲエンコード領域３３がある。なお、これらの金額欄３２やＭＩＣＲエンコード領域３３の位置は指定されている。
【００３５】
この発明における証券処理装置においては、既にＭＩＣＲエンコード領域３３に金額がＭＩＣＲエンコードされているかを識別し、ＭＩＣＲエンコードの二重処理を防止する為、証券の券面を読み取る際に、金額欄３２に加えて、ＭＩＣＲエンコード領域３３をそれぞれ読み取る必要がある。
【００３６】
そこで、この証券処理装置には、同図（Ｂ）に示すように、証券の縦方向の長さにほぼ等しい読み取り範囲をもつ文字読取センサ部５−１が配置されており、券面上に斜線で示すような部分を読み取ることができる。
【００３７】
この文字読取センサ部５−１は証券処理装置に固定されており、証券３１を矢印の方向に移動させながら券面を読み取ることで、同図（Ｃ）に示すように、証券３１の券面の上端一部分を除く、斜線で示すような券面のほぼ全面部分を読み取ることができ、この部分の内側にある金額欄３２とＭＩＣＲエンコード領域３３の全体をそれぞれ読み取ることができる。
【００３８】
なお、証券３１の金額欄３２やＭＩＣＲエンコード領域３３は、券面上において、上下方向の長さより左右方向の長さの方が長い為に、証券３１を左右方向に移動させながら、券面を読み取ることで、素子の少ない文字読取センサ部５−１で金額欄３２やＭＩＣＲエンコード領域３３をそれぞれ読み取ることができる。
【００３９】
ところで、上述したように、同図（Ｂ）に示した証券処理装置の文字読取センサ部５−１は、証券の縦方向の長さにほぼ等しい読み取り範囲をもつ為に、同図（Ｃ）に示したように、金額欄３２とＭＩＣＲエンコード領域３３を除く不要な部分についても多く読み取っている。
【００４０】
そこで、同図（Ｄ）に示すように、金額欄３２とＭＩＣＲエンコード領域３３を読み取る２つの文字読取センサ部５−２及び５−３をそれぞれ配置して、上述した方法と同様に読み取りを行うと、同図（Ｅ）に示すように、金額欄３２とＭＩＣＲエンコード領域３３を含む部分のみをそれぞれ読み取ることもできる。
【００４１】
最後に、図５及び図６を参照して、証券を処理する際の証券処理装置の動作の流れを説明する。
【００４２】
図５は証券を処理する際の証券処理装置の動作の流れを示すフローチャートであり、図６は証券にＭＩＣＲエンコードする際の証券処理装置の動作の流れを示すフローチャートである。
【００４３】
まず、証券処理装置１の証券載置部２に証券を載置して（ステップ１０１）、図示していないが操作部１１にある証券の処理を開始又は終了させる「スタート／ストップ」キーを押下すると（ステップ１０２）、証券載置部２に載置された証券が証券繰出部３から１枚ずつ送出され、証券搬送部４がこの証券を搬送する（ステップ１０３）。
【００４４】
証券は証券搬送部４に搬送されながら、金額の読み取りやＭＩＣＲエンコード、証券の振り分け・集積といった一連の処理が行われる（ステップ１０４）。
【００４５】
図６のフローチャートに示すように、これらの一連の処理は、まず文字読取センサ部５が証券の金額欄３２に表記されている金額の文字とＭＩＣＲエンコード領域３３にＭＩＣＲエンコードされている金額をそれぞれ読み取り、これらの文字を認識する（ステップ２０１）。
【００４６】
この結果、金額欄３２に表記されている金額の文字を認識することができ（ステップ２０２のＹＥＳ）、ＭＩＣＲエンコード領域３３に金額がＭＩＣＲエンコードされていないならば（ステップ２０３のＮＯ）、この証券を搬送しながらＭＩＣＲエンコーダ部７において、ＭＩＣＲエンコード処理を行い（ステップ２０４）、この証券の金額を集計金額データに加算する（ステップ２０５）。
【００４７】
更に、証券振分部８はこのＭＩＣＲエンコード処理の行われた証券を受入証券集積部９に振り分け、これに集積させる（ステップ２０６）。
【００４８】
又、ステップ２０２において、証券の金額欄３２に表記されている金額の文字が薄かったり、券面が汚損している等の原因により、表記されている金額の文字を認識することができなかった場合には（ステップ２０２のＮＯ）、ＭＩＣＲエンコード処理を行うことができないので、証券振分部８はこの証券を返却証券集積部１０−１に振り分けて、これに集積させる（ステップ２０７）。
【００４９】
又、ステップ２０３において、既に証券のＭＩＣＲエンコード領域に金額がＭＩＣＲエンコードされていた場合には（ステップ２０３のＹＥＳ）、証券振分部８はこの証券を返却証券集積部１０−２に振り分けて、これに集積させる（ステップ２０８）。
【００５０】
証券の一連の処理が終わり、証券載置部２に未処理の証券があるならば（ステップ１０５のＹＥＳ）、ステップ１０３に戻り、この証券に同様の処理を行う。そして、証券載置部２に載置された全ての証券を処理し、未処理の証券がなければ（ステップ１０５のＮＯ）、動作を終了する。
【００５１】
なお、ステップ２０２において、金額欄３２に表記されている金額の文字を認識することができなかった証券について、金額欄３２に金額の文字が表記されているかを確認し、金額欄３２に金額の表記が無く、振り出された金額が不明である為に、ＭＩＣＲエンコード処理を行うことができないこの証券を、返却証券集積部を別途設け、これに振り分け、集積させることもできる。
【００５２】
又、この一実施例において、ＭＩＣＲエンコード処理が行われた証券を１つの受入証券集積部９に集積させたが、この受入証券集積部９や返却証券集積部１０−１及び１０−２の仕様は同一であり、これらの証券集積部への証券の受け入れ又は返却の振り分け方を任意に設定することができる。一般には、証券を処理した際に、ＭＩＣＲエンコード処理が行われなかった証券よりも、ＭＩＣＲエンコード処理が行われた証券の方が多数であることが多く、この場合、受入証券集積部９を複数設け、このＭＩＣＲエンコード処理が行われた証券を複数の受入証券集積部９に分散して、集積させるように振り分けることもできる。
【００５３】
ところで、この証券処理装置は、上述したように自動的にＭＩＣＲエンコード処理を行う自動処理モードに加えて、手動でＭＩＣＲエンコード処理を行う手動処理モードがある。ＭＩＣＲエンコード処理を手動処理モードに切り換えた後に、返却証券集積部１０−１に振り分けられた金額欄の金額を認識することができなかった証券の金額を、図示していないが操作部１１にある「テンキー（数字キー）」から直接入力して、自動処理モード時と同様に、証券載置部２にこの証券を載置し、「スタート／ストップ」キーを押下すれば、「テンキー（数字キー）」から入力した金額をＭＩＣＲエンコードすることができる。
【００５４】
更に、この証券処理装置には、ＭＩＣＲエンコード処理のみを停止させるＭＩＣＲエンコード非印字モードがある。図示していないが操作部１１にある「ＭＩＣＲエンコード  非印字／印字」キーを押下した後に、返却証券集積部１０−２に振り分けられた既に金額がＭＩＣＲエンコードされている証券を証券載置部２に載置し、「スタート／ストップ」キーを押下すれば、この証券の金額欄に表記されている金額を読み取った後、ＭＩＣＲエンコード処理を行わずに、既にＭＩＣＲエンコード処理された証券の金額を集計した集計金額データに、この証券の金額を加算させることができる。
【００５５】
上述したように、ＭＩＣＲエンコード処理が行われなかった証券を、これらの証券の処理状態に応じて返却証券集積部１０−１又は１０−２に振り分ける為に、証券を再処理する際に、各返却証券集積部１０ごとに一括して再処理することができる。
【００５６】
なお、証券を処理することができないことを処理エラーとして、証券の処理中に処理エラーが発生した時に、「スタート／ストップ」キーを用いずに自動的に処理を停止させ、その都度ごとに証券を再処理することもできる。
【００５７】
【発明の効果】
以上説明したように、この発明により証券の金額欄に表記されている金額の文字を読み取り、この金額を証券にＭＩＣＲエンコードする処理を行う際に、ＭＩＣＲエンコードの有無を識別して、ＭＩＣＲエンコード処理されていない場合のみにＭＩＣＲエンコード処理を行うように構成したので、ＭＩＣＲエンコードの二重処理を防止することができ、作業の大きな負担を軽減するとともに、証券処理の効率を向上させることができる。
【００５８】
更に、ＭＩＣＲエンコード処理が行われなかった証券を、これらの証券の処理状態に応じて振り分けることができる為に、証券を再処理する際に、証券が振り分けられているごとに一括してそれぞれ再処理することができ、証券処理の効率を一層向上させることができる。
【図面の簡単な説明】
【図１】証券処理装置の構成を示すブロック図。
【図２】証券処理装置の外観を示す外観図。
【図３】証券を処理する際の証券の一連の流れを示す模式図。
【図４】証券の外観を示す外観図及び証券に表記されている金額の読取方法を示す模式図。
【図５】証券を処理する際の証券処理装置の動作の流れを示すフローチャート。
【図６】証券にＭＩＣＲエンコードする際の証券処理装置の動作の流れを示すフローチャート。
【符号の説明】
１  証券処理装置
２  証券載置部
３  証券繰出部
４  証券搬送部
５、５−１、５−２及び５−３  文字読取センサ部
６  文字識別部
７  ＭＩＣＲエンコーダ部
８  証券振分部
９  受入証券集積部
１０  返却証券集積部
１１  操作部
１２  ジャーナルプリンタ部
１３  制御部
３１  証券
３２  金額欄
３３  ＭＩＣＲエンコード領域
【図１】
0003723707.tif 000002
【図２】
0003723707.tif 000003
【図３】
0003723707.tif 000004
【図４】
0003723707.tif 000005
【図５】
0003723707.tif 000006
【図６】
0003723707.tif 000007